(57)【特許請求の範囲】
【請求項１】
画像がディスプレーされるように液晶を制御する液晶表示パネルアセンブリと、
前記液晶表示パネルアセンブリに光を供給するランプアセンブリと、前記ランプアセンブリから発生した光の均一性を向上させる光均一性向上モジュールを含むバックライトアセンブリと、
前記液晶表示パネルアセンブリ及びバックライトアセンブリを収納及び固定させる収納容器と、
前記収納容器の外側面の背面に設置され前記ランプアセンブリを駆動する電力を供給するインバータモジュールと、
前記インバータモジュールから発生した熱を遮断して、前記熱が前記光均一性向上モジュールに伝達されることを防止するために、前記インバータモジュールと収納容器との間に介挿されるように前記収納容器に設置される熱遮蔽手段を含み、
前記収納容器には、前記熱遮蔽手段より小さい開口が形成されるとともに、前記開口周縁の一部に形成された凹部からなり、前記熱遮蔽手段の境界辺のうち一部を装着させ前記熱遮蔽手段をバックライトアセンブリ及び前記インバータモジュールのうち、一方又は両方と所定の間隔で離隔させる係着部が形成されることを特徴とする液晶表示装置。
【請求項２】
前記熱遮蔽手段は、プレート形状で金属を含む材質により製作されることを特徴とする請求項１に記載の液晶表示装置。
【請求項３】
前記熱遮蔽手段の前記金属は、アルミニウム又はアルミニウム合金のうちのいずれか一つであることを特徴とする請求項２に記載の液晶表示装置。
【請求項４】
前記熱遮蔽手段は、１層又は複数層の金属薄膜を含み、各金属薄膜は接着物質により相互接合されることを特徴とする請求項２に記載の液晶表示装置。
【請求項５】
前記金属薄膜は、接着物質を媒介で接着された２層により構成され、前記金属薄膜の厚さは互いに相異することを特徴とする請求項４に記載の液晶表示装置。
【請求項６】
画像がディスプレイできるように液晶を制御する液晶表示パネルアセンブリと、
前記液晶表示パネルアセンブリに光を供給するランプアセンブリ及び前記ランプアセンブリより発生する光の均一性を向上させる光の均一性向上モジュールを含むバックライトアセンブリと、
前記液晶表示パネルアセンブリ及び前記バックライトアセンブリを収納及び固定させる収納容器と、
前記収納容器の外側面の背面に設置され、前記ランプアセンブリを駆動するのに必要な電源を供給するインバータモジュールと、
前記インバータモジュールより発生する熱をインターセプターし、前記熱が前記光の均一性向上モジュールに供給されることを防ぐために、前記インバータモジュールと前記収納容器の間に該当する前記収納容器に設置される熱遮蔽手段と、を含み、
前記熱遮蔽手段は、プレート形状で、少なくとも２層の金属薄膜を含んで形成され、
前記少なくとも２層の金属薄膜は接着物質を媒介として相互接合され、
前記金属薄膜のうちのバックライトアセンブリと近接した金属薄膜の厚さは、他方の薄膜の厚さより厚いことを特徴とする液晶表示装置。
【請求項７】
前記熱遮蔽手段の面積は、前記インバータモジュールの面積より大きいことを特徴とする請求項１に記載の液晶表示装置。
【請求項８】
前記熱遮蔽手段の面積は、前記インバータモジュール面積の２倍であることを特徴とする請求項７に記載の液晶表示装置。
【請求項９】
前記熱遮蔽手段は、前記インバータモジュールから発生した熱が前記バックライトアセンブリの反射板に伝達されて、前記反射板にシート皺を発生させることを防止することを特徴とする請求項１に記載の液晶表示装置。
【請求項１０】
前記熱遮蔽手段は、表面積を増加させるためにエンボシング処理されたことを特徴とする請求項１に記載の液晶表示装置。
【請求項１１】
前記熱遮蔽手段は、表面積を増加させるために皺を形成する処理をされたことを特徴とする請求項１に記載の液晶表示装置。
【請求項１２】
画像がディスプレーされるように液晶を制御する液晶表示パネルアセンブリと、前記液晶表示パネルアセンブリに光を供給するランプアセンブリと、前記ランプアセンブリから発生した光の均一性を向上させる光均一性向上モジュールを含むバックライトアセンブリと、前記液晶表示パネルアセンブリ及び前記バックライトアセンブリを収納及び固定させる収納容器と、前記収納容器に収納された前記液晶表示パネルアセンブリが外部へ離脱されることを防止するための導電性シャーシと、前記収納容器の外側面に設置され前記ランプアセンブリを駆動する電力を供給するインバータモジュールと、前記インバータモジュールから発生した熱を遮断して前記熱が前記光均一性向上モジュールに伝達されることを防止するための熱遮蔽手段と、前記インバータモジュール及び前記熱遮蔽手段を電気的に連結させる接地部材を含むことを特徴とする液晶表示装置。
【請求項１３】
前記熱遮蔽手段の一部は、長くなるよう延ばされ、前記導電性シャーシに電気的に連結されることを特徴とする請求項１２に記載の液晶表示装置。
【発明の詳細な説明】
【０００１】
【発明の属する技術分野】
本発明は液晶表示装置に関するものであり、より詳細にはディスプレーに必要である光を発生させるランプを駆動するインバータから発生した熱によって反射板の形状変更、液晶の特性低下により部分又は全体的なディスプレー性能低下が発生することを防止した熱遮蔽フィルム及びこれを利用した液晶表示装置に関するものである。
【０００２】
【従来の技術】
一般的に、液晶表示装置は液晶の物理、光学的特性を利用して、所望の文字、画像、動映像をディスプレーする、表示装置のうちの１つと定義することができる。
【０００３】
このように定義された液晶表示装置は、駆動方法側面で従来のアナログ制御方式に従ってディスプレーを実施するＣＲＴ方式ディスプレー装置（Ｃａｔｈｏｄｅ  Ｒａｙ  Ｔｕｂｅ  ｄｉｓｐｌａｙ  ｄｅｖｉｃｅ）と異なり、デジタル制御方式に従ってディスプレーを実施するために、同一の解像度、同一のディスプレー面積を有してもＣＲＴ方式ディスプレー装置の体積及び重量に比較して、相当に小さい体積及び重量を有するという長所を有する。
【０００４】
このような長所を有する液晶表示装置は、ただディスプレーを実施するのに決定的な役割を有する液晶が自発的に光を発生しないため、液晶を精密に制御するとしても、光がない限りディスプレーが不可能であるという短所を有する。
【０００５】
このように、ディスプレーを実施することには、必ず太陽のような自然光を使用したり、自体に充電された電気エネルギーを消費して発生する人工光が主に使用される。
【０００６】
この時、自然光を使用する液晶表示装置は、自然光の光量が足りない所ではディスプレーが不可能であるという短所を有するため、最近では電気エネルギーを消費して発生した人工光を使用してディスプレーを実施する液晶表示装置の普及及び開発が活発になっている。
【０００７】
この時、人口光を使用してディスプレーを実施する液晶表示装置の光源としては、主に発熱量が小さく自然光に近い白色光を発生させ、寿命が長い冷陰極線管方式ランプが使用される。
【０００８】
このような冷陰極線管方式ランプは、多様な長所にもかかわらず、相当に高い駆動電圧を必要とするために、液晶表示装置で液晶を制御するのに使用される低い電圧のみでは駆動が不可能である。
【０００９】
従って、液晶表示装置では低電圧を冷陰極線管方式ランプを駆動するに適する高圧に昇圧させる変圧器及び集積素子を含むインバータを必要とする。
【００１０】
このようなインバータは、主に印刷回路基板に形成されるため、厚さが相当に薄い液晶表示装置の側面に設置が不可能であるので、主に冷陰極線管ランプと隣接するように液晶表示装置の背面に装着される。
【００１１】
しかし、このようにインバータを液晶表示装置の背面所定位置に装着する場合、インバータと対応する液晶表示装置の画面部分で深刻なディスプレー性能低下を発生させる問題点がある。
【００１２】
このような問題点は、インバータの作動特性にその原因がある。
【００１３】
より具体的に述べれば、インバータの核心部分である変圧器は低い電圧から高い電圧に昇圧する過程で過度な熱を発生させることは勿論、集積素子もやはり内部からデータ処理を実施する過程で過度な熱を発生させる。
【００１４】
このようにインバータから発生した熱は、収納容器の内部で液晶表示装置を構成する反射板に熱伝達され、直接的な影響を及ぼすのは勿論、間接的に反射板の上面に積層された導光板、光学シート類の皺を発生させ、さらに光学シート類の上面に形成された液晶表示パネルアセンブリの液晶に影響を及ぼす。
【００１５】
特に、最近の収納容器は、液晶表示装置の重量低減のために、基底面のうちで強度に影響を及ぼさない範囲内で開口を形成し、この開口によってインバータから発生した熱はすぐに反射板を局部的に加熱させることになる。
【００１６】
このような反射板の一部が局部的に加熱される場合、加熱された部分の熱膨張が加熱されない部分の熱膨張より大きくなって、結局反射板の一部の寸法が増して表面が膨らむ現象が発生する。
【００１７】
このように、反射板の表面が膨らむ場合、この部分での反射特性が残り部分での反射特性と異なって、結局図１に図示されたようにインバータと対向してディスプレー画面１０上にはインバータ以外の部分と異なる暗部１が発生される。
【００１８】
他の問題点として、インバータから発生した熱が長時間反射板、導光板、光学シート類、液晶表示パネルアセンブリに加わる場合、反射板は勿論導光板、光学シート類の局部膨張による光学的特性低下が発生する。
【００１９】
さらに、インバータモジュールから発生した熱が液晶表示パネルアセンブリの液晶を加熱させる場合、液体と固体の中間特性を有する液晶が液体に近接した特性を有するようになることにより液晶固有の機能が損失され、さらにディスプレーを実施できなくなる致命的な問題点を有する。
【００２０】
このようにインバータから発生する問題は、最近、液晶表示装置のディスプレー面積が大型化されることにより、非常に深刻になっている。
【００２１】
これは、液晶表示装置のディスプレー面積が大きくなるほどランプの長さかつ長くなり、ランプの長さが長くなるほどそのランプ駆動電圧が上昇して、インバータでは必然的にさらに多い熱が発生されるためである。
【００２２】
従って、大型液晶表示装置を具現するためには、インバータから発生した熱が液晶表示装置を構成する全ての構成要素に影響を及ぼさないようにする技術的開発が切実である。
【００２３】
【発明が解決しようとする課題】
従って、本発明の目的は、インバータから発生された熱を迅速に放熱されるようにすると同時にインバータから発生した熱を液晶表示装置を構成する全ての構成要素に影響を及ぼさないように遮断することにある。
【００２４】
本発明の他の目的は、液晶表示装置のディスプレー面積が大型化されてもインバータから発生された多量の熱を迅速に放熱及び遮断することにある。
【００２５】
かつ、本発明の他の目的は、インバータから発生された熱を迅速に放熱しまたインバータモジュールから発生した熱を液晶表示装置を構成する全ての構成要素に影響を及ぼさないようにすることは勿論、インバータから発生した漏洩電流も迅速に除去することにある。
【００２６】
【課題を解決するための手段】
本発明の目的を達成するための液晶表示装置は、画像がディスプレーされるように液晶を制御する液晶表示パネルアセンブリと、前記液晶表示パネルアセンブリに光を供給するランプアセンブリと、前記ランプアセンブリから発生した光の均一性を向上させる光均一性向上モジュールを含むバックライトアセンブリと、前記液晶表示パネルアセンブリ及びバックライトアセンブリを収納及び固定させる収納容器と、前記収納容器の外側面の背面に設置され前記ランプアセンブリを駆動する電力を供給するインバータモジュールと、
前記インバータモジュールから発生した熱を遮断して、前記熱が前記光均一性向上モジュールに伝達されることを防止するために、前記インバータモジュールと収納容器との間に介挿されるように前記収納容器に設置される熱遮蔽手段を含み、前記収納容器には、前記熱遮蔽手段より小さい開口が形成されるとともに、前記開口周縁の一部に形成された凹部からなり、前記熱遮蔽手段の境界辺のうち一部を装着させ前記熱遮蔽手段をバックライトアセンブリ及び前記インバータモジュールのうち、一方又は両方と所定の間隔で離隔させる係着部が形成されることを特徴とする。
【００２７】
本発明の目的を達成する他の形式の液晶表示装置は、画像がディスプレイできるように液晶を制御する液晶表示パネルアセンブリと、前記液晶表示パネルアセンブリに光を供給するランプアセンブリ及び前記ランプアセンブリより発生する光の均一性を向上させる光の均一性向上モジュールを含むバックライトアセンブリと、前記液晶表示パネルアセンブリ及び前記バックライトアセンブリを収納及び固定させる収納容器と、前記収納容器の外側面の背面に設置され、前記ランプアセンブリを駆動するのに必要な電源を供給するインバータモジュールと、前記インバータモジュールより発生する熱をインターセプターし、前記熱が前記光の均一性向上モジュールに供給されることを防ぐために、前記インバータモジュールと前記収納容器の間に該当する前記収納容器に設置される熱遮蔽手段と、を含み、前記熱遮蔽手段は、プレート形状で、少なくとも２層の金属薄膜を含んで形成され、前記少なくとも２層の金属薄膜は接着物質を媒介として相互接合され、前記金属薄膜のうちのバックライトアセンブリと近接した金属薄膜の厚さは、他方の薄膜の厚さより厚い。
また、本発明の目的を達成するさらに他の形式の液晶表示装置は、画像がディスプレーされるように液晶を制御する液晶表示パネルアセンブリと、液晶表示パネルアセンブリに光を供給するランプアセンブリと、ランプアセンブリから発生した光の均一性を向上させる光均一性向上モジュールを含むバックライトアセンブリと、液晶表示パネルアセンブリ及びバックライトアセンブリを収納及び固定させる収納容器と、前記収納容器に収納された前記液晶表示パネルアセンブリが外部へ離脱されることを防止するための導電性シャーシと、収納容器の外側面の背面に設置され前記ランプアセンブリを駆動する電力を供給するインバータモジュールと、インバータモジュールから発生した熱を遮断して、熱が前記光均一性向上モジュールに伝達されることを防止するための熱遮蔽手段と、前記インバータモジュール及び前記熱遮蔽手段を電気的に連結させる接地部材を含む。
【００２８】
【発明の実施の形態】
以下、図面を参照して本発明の望ましい実施形態をより詳細に説明する。
【００２９】
図２には、本発明の一実施形態による熱遮蔽フィルムが適用された液晶表示装置の分解斜視図が図示されている。
【００３０】
図２を参照すれば、液晶表示装置９０１は全体的に言ってケース８１０、８２０及び液晶表示モジュール（ＬＣＤ  Ｍｏｄｕｌｅ）９００により構成される。
【００３１】
ケース８１０、８２０は液晶表示モジュール９００の前面及び背面を保護する役割を有する。
【００３２】
具体的に、ケース８１０、８２０は液晶表示モジュール９００の背面保護及び液晶表示モジュール９００が収納される収納空間を提供するリアケース８２０及びリアケース８２０と結合され、液晶表示モジュール９００の前面のうちに有効ディスプレー領域が画定されるように開口されたフロントケース８１０により構成される。
【００３３】
一方、ケース８１０、８２０に結合される液晶表示モジュール９００は図示されない外部情報処理装置で入力された映像信号の入力を受けて像を表示するディスプレーとなる。
【００３４】
これを具現するために液晶表示モジュール９００は、第１として２個の電極間に注入された液晶の配列角を精密に制御して、液晶を通過することができる光透過度を微細面積単位で変更させる機能、第２として光透過度が変更されるように配列された液晶を通過する光を供給する機能を複合的に実施しなければならない。
【００３５】
この時、液晶の光透過度を微細面積単位で変更させる一番目の機能は、液晶表示モジュール９００のうち液晶表示パネルアセンブリ２００によって具現される。
【００３６】
液晶表示パネルアセンブリ２００は向き合う２個の電極の役割を有するＴＦＴ基板２２０及びカラーフィルタ基板２１０及びこれらの間に注入された液晶（図示せず）により構成された液晶表示パネル２２５及び液晶表示パネル２２５に注入された液晶を制御するための制御モジュール２３０、２４０、２５０、２６０により構成される。
【００３７】
ＴＦＴ基板２２０は外部から印加された映像信号に対応して、相当に微細な面積単位で電圧変化を発生させることができるようにし、カラーフィルタ基板２１０は電極の役割を有すると同時に白色光が光の三原色のうちのいずれか一つでフィルタリングされるようにする役割を有する。
【００３８】
具体的に、ＴＦＴ基板２２０により相当に微細な面積単位で電圧変化を発生させるためには、スイッチング素子として、図示されないゲート電極、ソース電極、ドレーン電極が形成された薄膜トランジスターを透明基板にマトリックス形態で配列し、各薄膜トランジスターのドレーン電極により透明電極を個別的に形成する方法が一番有利である。
【００３９】
このような方法は、薄膜トランジスターを透明基板に形成した状態で特定薄膜トランジスターを選択的に作動させ、該当薄膜トランジスターに形成された透明電極にのみ選択的に電力を供給することができるためである。
【００４０】
このように、特定薄膜トランジスターの作動によって該当透明電極にのみ選択的に電力が供給される場合、カラーフィルタ基板２１０と電力が供給された透明電極の間には電界が形成され、電界の強さによって液晶の配列が変化する。
【００４１】
一方、このような液晶表示パネル２２５は映像をディスプレーするためのハードウェアの役割をし、所望の映像が正確にディスプレーされるようにするためには、ハードウェアを作動させるソフトウェアの役割を有する制御モジュール２３０、２４０、２５０、２６０を必要とする。
【００４２】
制御モジュール２３０、２４０、２５０、２６０は薄膜トランジスターを作動させるタイミングと各薄膜トランジスターに供給される電力の強さを決定する役割を有し、ゲート印刷回路基板２４０、ソース印刷回路基板２６０、フレキシブル印刷回路２３０、２５０により構成される。
【００４３】
このような構成を有する制御モジュール２３０、２４０、２５０、２６０と液晶表示パネル２２５が相互作動するために、ＴＦＴ基板２２０にマトリックス形態で配列された薄膜トランジスターの各行（ｒｏｗ）に属するゲート電極は、ゲートラインを媒介として相互連結され、マトリックス形態で配列された薄膜トランジスターの各列（ｃｏｌｕｍｎ）に属するソース電極はデータラインを媒介として相互連結される。
【００４４】
また、各ゲートラインにはゲートラインに順次に作動シグナルを印加するゲート印刷回路基板２４０が連結され、データラインには映像信号に対応する電力を供給するソース印刷回路基板２６０が連結される。
【００４５】
この時、ゲート印刷回路基板２４０及びゲートラインとの間と、ソース印刷回路基板２６０及びデータラインとの間には、フレキシブル印刷回路２３０、２５０が介在しこれらを結合する。
【００４６】
これはフレキシブル印刷回路２３０、２５０を使用することにより、ゲート印刷回路基板２４０、ソース印刷回路基板２６０が後述される収納容器の背面に折り曲げられることが可能であるようにして、液晶表示装置の平面的な広がりを減少させるためのものである。
【００４７】
このように、複雑な構成を有する液晶表示パネルアセンブリ２００の制御モジュール２３０、２４０、２５０、２６０、及び液晶表示パネル２２５が相当に正確に作動しても、光量が足りなくて暗い所では所望の文字、画像、動映像はディスプレーされない。
【００４８】
これは液晶表示パネル２２５に注入された液晶自体は発光せず、ただ電界によって光の透過度のみを調節する役割を有するためである。
【００４９】
結局、液晶表示パネルアセンブリ２００からディスプレーが行われるようにするためには、どのような方式としても液晶表示パネルアセンブリ２００へ光を供給しなければならないことを意味する。
【００５０】
光は自然光が使用されることができるが、暗い所でディスプレーを実施することができない致命的な短所を有するので、貯蔵された電気エネルギーを消費して発生した光が主に使用される。
【００５１】
このような役割は、バックライトアセンブリ３００により具現される。
【００５２】
バックライトアセンブリ３００は光を発生させることは勿論、発生された光の光学的分布が非常に均一になるようにする役割も有する。
【００５３】
これを具現するために、バックライトアセンブリ３００は光発生装置３６５及び光均一性向上装置３１０、３２０、３３０及び収納容器３７０を含む。
【００５４】
光発生装置３６５はランプアセンブリ３６０及びインバータモジュール３８０（図３参照）により構成される。
【００５５】
ランプアセンブリ３６０はまたランプ３４０及びランプカバー３５０により構成される。
【００５６】
この時、ランプ３４０は寿命が長く、自然光に近い白色光が発生され、駆動するときに熱発生が小さい特徴を有する冷陰極線管方式ランプが主に使用される。以下、符号３４０を付与されたものは冷陰極線管方式ランプとして説明する。
【００５７】
一方、冷陰極線管方式ランプ３４０は多様な長所を有する反面、相当に高い駆動電圧を必要とするために、図３に図示されたように低電圧を高電圧に昇圧するインバータモジュール３８０を必要とする。
【００５８】
インバータモジュール３８０には昇圧のための変圧器と多数個の集積回路が設置される。
【００５９】
一方、光均一性向上装置３１０、３２０、３３０は具体的にランプアセンブリ３６０から発生した光の分布を向上させる役割を実施するために、光学シート類３１０、導光板３２０、反射板３３０を必要とする。
【００６０】
導光板３２０は、線光源分布を有する冷陰極線管方式ランプ３４０から発生した光が入射された後、面光源分布を実現すると同時に光の進行方向を変更させる役割を有する。この時、導光板３２０の形状はプレート形状として、一側端部から他側端部に行くほど段々厚さが減少されるくさびタイプ又は厚さの変化がないフラットタイプが使用されることができる。
【００６１】
反射板３３０は反射率が高いプレート形状として、導光板３２０の底面に設置され導光板３２０から漏洩された光を再生する役割を有する。
【００６２】
一方、導光板３２０の上面には導光板３２０から射出された光を拡散、集光させる役割を有する光学シート類３１０が設置される。
【００６３】
このような構成を有する光発生装置３６５及び光均一性向上装置３１０、３２０、３３０は収納容器３７０に指定された順序通りに収納される。
【００６４】
図２又は図３を参照すると、収納容器３７０は光発生装置３６５及び光均一性向上装置３１０、３２０、３３０が全て収納されるように、所定面積を有する内部空間が形成される。
【００６５】
特に、基底面には収納容器３７０を軽量に製作するために、強度に影響を及ぼさない部分を除去して多数個の開口３７１が形成される。
【００６６】
このような形状を有する収納容器３７０の内部基底面には反射板３３０−導光板３２０−ランプアセンブリ３６０−光学シート類３１０及び前で説明した液晶表示パネルアセンブリ２００が順次に積層される。
【００６７】
この時、収納容器３７０の底面の外側には冷陰極線管方式ランプ３４０に電源を供給するためのインバータモジュール３８０が設置される。
【００６８】
この時、インバータモジュール３８０は熱遮蔽フィルム４００を介在させて収納容器３７０基底の外側面に設置される。
【００６９】
インバータモジュール３８０は印刷回路基板３８３、印刷回路基板３８３上の電圧を昇圧するに必要である変圧器３８２及び多数の集積回路３８１により構成される。図面符号３８４は昇圧された電圧が出力されるコネクタである。
【００７０】
このようにインバータモジュール３８０は、収納容器３７０基底の外側面に設置される。この時、インバータモジュール３８０が収納容器３７０基底の外側面のうち指定された位置に設置されるために、一実施形態として、キャッチング突起３７３及びストッパー３７５を必要とする。
【００７１】
キャッチング突起３７３は図３に図示されたようにインバータモジュール３８０の構成要素である印刷回路基板３８３のエッジを収容してインバータモジュール３８０の上下動を制限する役割を有し、ストッパー３７５はキャッチング突起３７３に収容保持されたインバータモジュール３８０の水平動を制限する。
【００７２】
このように、キャッチング突起３７３及びストッパー３７５が形成された収納容器３７０には図５に図示されたようにインバータモジュール３８０が設置される前に、熱遮蔽フィルム４００が設置される。
【００７３】
熱遮蔽フィルム４００は、インバータモジュール３８０からランプ駆動電圧を昇圧する過程から発生した熱を遮断して、迅速に放熱及び遮断して光均一性向上装置３１０、３２０、３３０へ熱が伝導されないようにするのは勿論、有害電磁波（ＥＭＩ：ｅｌｅｃｔｒｏｍａｇｎｅｔｉｃ  ｉｎｔｅｒｆｅｒｅｎｃｅ）も防止する付加的な機能も発揮する。
【００７４】
この時、熱遮蔽フィルム４００は図６に図示されたように、インバータモジュール３８０よりは大きな面積を有するように製作し、収納容器３７０の全体基底面積よりは小さくなるように製作される。望ましくは熱遮蔽フィルム４００は、熱遮蔽効果及び軽量、薄型化側面を考慮しインバータモジュール３８０の約２倍程度の面積を有するように製作することがよい。
【００７５】
かつ、熱遮蔽フィルム４００は図７に図示されたようにインバータモジュール３８０の底面と所定間隔離隔されるようにしたり、反射板３３０とも所定間隔離隔されるようにする。
【００７６】
一方、他の望ましい一実施形態として、インバータモジュール３８０と熱遮蔽フィルム４００は密着されるようにし、反射板３３０とインバータモジュール３８０が離隔されるようにしたり、熱遮蔽フィルム４００をインバータモジュール３８０とは所定間隔離隔させ、熱遮蔽フィルム４００と反射板３３０を密着させることもできる。
【００７７】
この点に関し、熱遮蔽フィルム４００をインバータモジュール３８０の底面及び反射板３３０から所定間隔離隔させることは、密閉された状態で移動が殆どない空気の熱伝導度が、相当に低いという特性を最大に利用したもので、インバータモジュール３８０から発生した熱の伝導を最大限妨害するためのものである。
【００７８】
一方、熱遮蔽フィルム４００は多様な実施形態が存在することができるが、本発明では望ましい３個の実施形態を説明する。
【００７９】
図８には本発明による熱遮蔽フィルム４００の一番目の実施形態が図示されており、図９には熱遮蔽フィルム４００を液晶表示装置に適用した一実施形態が図示されている。
【００８０】
図８又は図９を参照すれば、熱遮蔽フィルム４００は望ましい一実施形態で３個以上の層により構成される。以下、３個の層を各々第１遮断層４１０、接着剤層４２０、第２遮断層４３０と称する。
【００８１】
図８を参照すれば、第１遮断層４１０は熱伝導率の優れたアルミニウム材質又はアルミニウム合金材質で約０．１ｍｍの厚さを有する薄膜形態を有し、インバータモジュール３８０と似た形として、平面積はインバータモジュール３８０より多少大きな形状を有する。
【００８２】
このような第１遮断層４１０の一側面には全面積にわたって熱伝導度が低い接着剤が塗布され、接着層４２０が形成される。この接着層４２０の上面には第１遮断層４１０より多少厚い約０．１５ｍｍの厚さを有し、形状は第１遮断層４１０と同一な第２遮断層４３０が接着層４２０を媒介として相互接着される。
【００８３】
符号４０２、４０３はストッパー３７５と結合されるためのストッパー溝である。
【００８４】
図１０又は図１１には、本発明の二番目の実施形態が図示されている。
【００８５】
図１０を参照すれば、二番目の実施形態による熱遮蔽フィルム４００は、同様に３個以上の層により構成されるが、第１遮断層４４０は熱伝導率が優れたアルミニウム材質で構成されたアルミニウム薄膜で約０．１ｍｍの厚さを有し、インバータモジュール３８０と似た形で平面積はインバータモジュール３８０より多様大きな形状を有する。
【００８６】
このような第１遮断層４４０の一側面には全面的にわたって熱伝導率度が低い接着剤が塗布され接着剤層４５０が形成される。
【００８７】
この接着剤層４５０の上面には第１遮断層４４０と同一な０．１ｍｍ厚さを有し、形状は第１遮断層４４０と同一な第２遮断層４６０が接着剤層４５０を媒介として相互接着される。この時、第２遮断層４６０と係着部３７４は第２遮断層４６０のエッジに沿って付着された両面接着テープ４０１を媒介で相互接着される。
【００８８】
符号４０４、４０５はストッパー３７５と結合されるためのストッパー溝である。
【００８９】
最後に、図１２又は図１３には本発明の最後の実施形態が図示されている。
【００９０】
図１２を参照すれば、本発明による熱遮蔽フィルム４００は単一遮断層４７０により構成される。
【００９１】
即ち、遮断層４７０はインバータモジュール３８０と似た形であり、平面積はインバータモジュール３８０より多少大きくなるようにしてインバータモジュール３８０から発生した熱を迅速に放熱させるようにする。符号４０６、４０７はストッパー３７５と結合されるためのストッパー溝である。
【表１】
0004404509.tif 000002
〈表１〉は前で説明した熱遮蔽フィルムの３個の実施形態及び熱遮蔽フィルムを使用しなかったときを各々実験した結果である。
【００９２】
まず、インバータモジュール３８０の主要熱原因である変圧器部分及び集積回路部分に該当するインバータモジュール３８０の印刷回路基板３８３の基底面での温度を測定した結果、変圧器部分では４７．７℃、集積回路部分では４３．１℃に測定された。
【００９３】
〈対照例〉はインバータモジュール３８０にどのような熱遮蔽フィルムも設置しない状態で実験した結果として、測定温度は直接的に熱によって損傷が加わる反射板３３０の表面での温度として測定され、インバータモジュール３８０の変圧器に対応する部分に該当する反射板３３０の表面温度は４４℃であり、集積回路に対応する部分に該当する反射板３３０の表面温度は４２．７℃であり、インバータモジュール３８０の基底面温度と殆ど差がないことを示す。
【００９４】
一方、〈第１実験例〉は前で説明した図８の実施形態による熱遮蔽フィルム（０．１ｍｍ第１遮断層、接合剤層、０．１５ｍｍ第２遮断層積層）をインバータモジュール３８０と収納容器３７０との間に挿入されるように設置した状態で反射板３３０の表面温度を測定したものである。
【００９５】
測定した結果、インバータモジュール３８０の変圧器と対応する反射板３３０での表面温度は３５．１℃であり、集積回路と対応する反射板３３０での表面温度は３３．５℃であり〈対照例〉に比べて格段の温度減少が発生した。
【００９６】
また、〈第２実験例〉は前で説明した図１０の実施形態による熱遮蔽フィルム（０．１ｍｍ第１遮断層、接着剤層、０．１ｍｍ第２遮断層）をインバータモジュール３８０と収納容器３７０との間に挿入されるように設置した状態で反射板３３０の表面温度を測定したものである。
【００９７】
測定した結果、インバータモジュール３８０の変圧器と対応する反射板３３０での表面温度は３８．８℃であり、集積回路と対応する反射板３３０での表面温度は３６．６℃であり〈対照例〉に比べて格段の温度減少が発生した。
【００９８】
また、〈第３実験例〉は前で説明した図１２の実施形態による熱遮蔽フィルム（０．３ｍｍ単独遮断層）をインバータモジュール３８０と収納容器３７０との間に挿入されるように設置した状態で、反射板３３０の表面温度を測定したものである。
【００９９】
測定した結果、インバータモジュール３８０の変圧器と対応する反射板３３０での表面温度は３８．５℃であり、集積回路と対応する反射板３３０での表面温度は３６℃であり〈対照例〉に比べて格段の温度減少が発生した。
【０１００】
このような実験結果は、熱遮蔽フィルム４００をインバータモジュール３８０の印刷回路基板３８３の下部及び反射板３３０との間に設置することにより、インバータモジュール３８０の変圧器又は集積回路で発生した熱が反射板３３０に到達されることを妨害する断熱効果が極めて大きいことを示している。
【０１０１】
かつ、インバータモジュール３８０の変圧器又は集積回路から発生した熱を短時間内に放熱させることにより、反射板３３０の温度が、反射板３３０の形状変更が発生される最低温度以下になるようにすることにより反射板３３０の形状変化を防止すると共に、導光板３２０、光学シート類３１０、液晶表示パネルアセンブリ２００などに熱により特性低下が発生することを防止する。
【０１０２】
さらに、熱遮蔽装置４００を接着剤層の両側に一実施形態で熱伝導度が優れた２個のアルミニウム薄膜を付着して製作する場合、接着剤層が熱の流れを妨害することにより反射板３３０での表面温度をさらに効果的に低くすることができる。
【０１０３】
かつ、熱遮蔽装置４００を接着剤層の両側に熱伝導度が優れた２個のアルミニウム薄膜を付着し、いずれか一つの薄膜厚さをさらに厚くなるようにする場合、反射板３３０での表面温度をさらに低くすることができる。
【０１０４】
添付された図１４には本発明の異なる実施形態が図示され、ここでは熱遮蔽フィルム４８０は熱伝導度が優れた導電性薄膜であることを考慮して、熱遮蔽フィルム４８０とインバータを導電性ねじなどを利用して相互電気的に導通されるようにした状態で、熱遮蔽フィルムの一部を長く延長して接地片４８５を形成し、この接地片４８５を接地ラインに接地させることにより（例えば収納容器に収納された液晶表示パネルアセンブリが外部へ離脱することを防止する導電性シャーシに接地）、インバータモジュール３８０から発生される多様な電気的雑音、反射板３３０での静電気、漏洩電流などを除去することができる。
【０１０５】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【０１０６】
【発明の効果】
本発明によると、ディスプレーに必要な光を発生させるランプを駆動するためのインバータモジュールから発生する過度な熱による反射板の部分的な形状変更によるディスプレー性能低下を防止して高性能ディスプレー特性を得ることができる効果を有する。
【０１０７】
かつ、インバータモジュールから発生した熱により導光板、光学シート類、液晶の特性低下が発生することを防止して、高画質ディスプレー特性を得ることができる効果がある。
【０１０８】
かつ、インバータモジュールから発生した熱を効率的に遮断するだけでなく、インバータモジュールから発生した静電気及び漏洩電流を接地させることは勿論、反射板から発生した静電気を除去することができる効果を有する。
【０１０９】
本発明では、本発明が有する技術的思想を表現するために多様な実施形態のうち、幾つかの実施形態のみを説明した。
【０１１０】
例えば、本発明では単層熱遮蔽フィルム、二つのメタル薄膜が接着された熱遮蔽フィルムが実施形態として記載されているが、これに限らず、２個を越えるメタル薄膜を用意し、各メタル薄膜を接着剤で相互接着させる場合、さらに大きな熱遮断効果を得ることができる。
【０１１１】
上記以外でも、無数な実施形態をとることができ、例えば一つの実施形態としては、熱遮蔽フィルムに周期的な凹凸またはウェーブを形成して（例えばエンボッシング処理や皺形成処理による）、放熱面積を極大化させる方法を使用する場合、反射板での温度をさらに減少させることができる。
【図面の簡単な説明】
【図１】  従来の液晶表示装置でインバータから発生した熱によりディスプレー特性低下が発生することを図示した斜視図である。
【図２】  本発明の一実施形態による液晶表示装置用熱遮蔽フィルムを適用すべき液晶表示装置の分解斜視図である。
【図３】  本発明の一実施形態による液晶表示装置用熱遮蔽フィルムが液晶表示装置の背面に設置されることを図示した背面斜視図である。
【図４】  図３のＡ部分拡大図である。
【図５】  本発明の一実施形態による液晶表示装置用熱遮蔽フィルムが液晶表示装置の指定された位置に結合されたことを図示した背面斜視図である。
【図６】  本発明の一実施形態による液晶表示装置用熱遮蔽フィルムの面積がインバータモジュールの平面積より大きく形成されたことを図示した斜視図である。
【図７】  図６のＶ−Ｖ断面図である。
【図８】  本発明の一実施形態による液晶表示装置用熱遮蔽フィルムの構成を説明するための斜視図である。
【図９】  図８の液晶表示装置用熱遮蔽フィルムが適用された状態のプロファイルを図示した断面図である。
【図１０】  本発明の他の実施形態による液晶表示装置用熱遮蔽フィルムの構成を説明するための斜視図である。
【図１１】  図１０の液晶表示装置用熱遮蔽フィルムが適用された状態のプロファイルを図示した断面図である。
【図１２】  本発明のさらに他の実施形態による液晶表示装置用熱遮蔽フィルムの構成を説明するための斜視図である。
【図１３】  図１２の液晶表示装置用熱遮蔽フィルムが適用された状態のプロファイルを図示した断面図である。
【図１４】  本発明のさらに他の実施形態による液晶表示装置用熱遮蔽フィルムに接地機能が付加されたことを図示した斜視図である。
【符号の説明】
２００    液晶表示パネルアセンブリ
２１０    カラーフィルタ基板
２２０    ＴＦＴ基板
２２５    液晶表示パネル
２３０、２４０、２５０、２６０    制御モジュール
２３０、２５０    フレキシブル印刷回路
２４０    ゲート印刷回路基板
２６０    ソース印刷回路基板
３００    バックライトアセンブリ
３１０    光学シート類
３２０    導光板
３３０    反射板
３４０    冷陰極線管方式ランプ
３５０    ランプカバー
３６５    光発生装置
３７０    収納容器
３８３    印刷回路基板
４００    熱遮蔽フィルム
８１０    フロントケース
８２０    リアケース
９００    液晶表示モジュール
９０１    液晶表示装置
【図１】
0004404509.tif 000003
【図２】
0004404509.tif 000004
【図３】
0004404509.tif 000005
【図４】
0004404509.tif 000006
【図５】
0004404509.tif 000007
【図６】
0004404509.tif 000008
【図７】
0004404509.tif 000009
【図８】
0004404509.tif 000010
【図９】
0004404509.tif 000011
【図１０】
0004404509.tif 000012
【図１１】
0004404509.tif 000013
【図１２】
0004404509.tif 000014
【図１３】
0004404509.tif 000015
【図１４】
0004404509.tif 000016